(57)【要約】      （修正有）【課題】つきたての餅と同様の柔らかさを再現できる電子レンジ用餅つきボールを提供する。【解決手段】ポリプロピレン樹脂又はその他の合成樹脂により成る略お椀状の容器１の内面２に無数の凹凸部と該凹凸部の表面にさらに複数の小凸部を設けたダブルエンボスを形成すると共に、該容器の下方には該容器の底面８を摺接揺動自在に略湾曲状に形成した着座部９を設けた架台７を配置した。これにより餅とボールの接触面積を極めて小さく保持した状態でスムーズに捏ね続けることができる。【選択図】図１
0003146267.tif 000002
【実用新案登録請求の範囲】
【請求項１】
ポリプロピレン樹脂又はその他の合成樹脂により成る略お椀状の容器の内面に無数の凹凸部と該凹凸部の表面にさらに複数の小凸部を設けたダブルエンボスを形成すると共に、該容器の下方にはその底面を摺接揺動自在に形成した略湾曲状の着座部を有する架台を配置したことを特徴とする電子レンジ用餅つきボール。
【請求項２】
前記容器の上縁には、該容器と一体的かつ外方向に延出する把持用の鍔部を形成したことを特徴とする請求項１記載の電子レンジ用餅つきボール。
【考案の詳細な説明】
【技術分野】
【０００１】
本考案は、切り餅など固形化した餅を電子レンジで加熱後つきたての餅の柔らかさを再現できるようにした電子レンジ用餅つきボールに関する。
【背景技術】
【０００２】
一般に、切り餅のように固形化した餅を家庭で食するときは、火で焼くか或いは熱湯中で加熱するかの何れかの方法で柔らかくしたうえ食するのが普通である。また、近年は電子レンジの普及に伴い本考案者の発明に基づく特許文献１に示すような電子レンジトレー上に餅を載せて電子レンジで加熱して柔らかくした後食することも行われている。
【特許文献１】特開２００７−３０７４２７号公報（図１）
【考案の開示】
【考案が解決しようとする課題】
【０００３】
ところが、前記固形化した餅を上記方法で加熱したものは、加熱直後は柔らかいが暫く（季節にもよるが概ね５〜１０分位）すると直ぐに硬くなってつき立ての餅のような柔らかさが失われて急速に硬くなるため、加熱後は直ちに食しなければならないという問題がある。そこで、本考案は上記問題を解消し餅類の加熱後簡単な処理を施すことによってつき立ての餅の如く５〜６時間位はその柔らかさを再現し持続できることを見い出しそのための用具を提供するものである。
【課題を解決するための手段】
【０００４】
上記目的を達成するため本考案は、ポリプロピレン樹脂又はその他の合成樹脂により成る略お椀状の容器１の内面２に無数の凹凸部３と該凹凸部の表面にさらに複数の小凸部４を設けたダブルエンボスを形成すると共に、該容器の下方にはその底面８を摺接揺動自在に形成した略湾曲状の着座部９を有する架台７を配置したことを特徴とする（請求項１）。
【０００５】
さらに、前記容器の上縁５には、該容器と一体的かつ外方向に延出する把持用の鍔部６を形成することもできる（請求項２）。
【考案の効果】
【０００６】
本考案によれば、ポリプロピレン樹脂又はその他の合成樹脂により成る略お椀状の容器１の内面２に無数の凹凸部３と該凹凸部の表面にさらに複数の小凸部４を設けたダブルエンボスを形成したので加熱した餅を捏ねても容器内面２に付着することなく捏ね続けることができる。
【０００７】
また、該容器下方に架台７を設けその着座部９が容器の底面８と摺接自在となるよう略湾曲状に形成したことにより、捏ね作業時該容器を捏ね易い角度に自在調節できるので作業姿勢も楽となる（請求項１）。
【０００８】
また、前記容器の上縁５には、該容器と一体的かつ外方向に延出する把持用の鍔部６を形成したので片手で前記鍔部を把持しながら他方の手で捏ね作業ができるので手軽に捏ねることができる（請求項２）。
【考案を実施するための最良の形態】
【０００９】
ポリプロピレン樹脂又はその他の合成樹脂により成る略お椀状の容器の内面に無数の凹凸部３と該凹凸部の表面にさらに複数の小凸部４を設けたダブルエンボスを形成すると共に、該容器の下方にはその底面７を摺接揺動自在に形成した略湾曲状の着座部９を有する架台７を配置する。これにより、容器１を捏ね易い角度に自由に調節できしかも餅を捏ねても容器内面２に粘着することがないので捏ね作業も楽である。
【実施例１】
【００１０】
以下、本考案の実施例を図１ないし図４により説明する。容器１はポリプロピレン樹脂又はその他の合成樹脂により成り、有底の略お椀状でボール容器の如く形成されておりその内面２には図３に示すように無数の凹凸部３が形成されると共に、このうちの凸部３ａの表面にはさらに小さな小凸部４が複数突出し形成されたいわゆるダブルエンボス加工が施されている。
【００１１】
これにより、例えば加熱直後の柔らかくなった餅のようにその表面が粘着性を増して容器内面２に付着した場合でも該ダブルエンボス加工の存在により餅との接触面積を極めて小さく保持できるので、該餅を捏ねる際多少の粘着性が増したとしても容器内面２には何ら付着することなくスムースに捏ね続けることができ、かつ捏ね終わった後も箸で容易に容器から取り出すことができる。
【００１２】
また、容器１の上縁５には、該上縁から外方向に向かって適宜幅で延出する把持用の鍔部６が形成されており、餅を捏ねる際に容器１を片手で保持・固定し易いようになっている。
【００１３】
一方、容器１の下方には架台７が配置し略お椀状に形成された容器の底部８と略同形状に凹み状の着座部９が設けられ、ここに容器１が据え置かれている。これにより、該容器の底部８は前記着座部９と摺接しかつ該着座部に沿って揺動自在となっている。
【００１４】
なお、架台７の材料は軟質合成樹脂とするのがよく、また最下端の据付面１０には餅の捏ね作業時作業台（図示せず）に対し着実に固定できるよう吸盤状に形成するか、又は複数の微小突起を設ける等滑り止め構造とするのが好ましく、その構造は特に限定しない。
【００１５】
次いで、本考案の作用について説明する。先ず、切り餅Ａを例えば特許文献１に示す餅網具を用いて電子レンジで加熱後柔らかくなった状態でそのまま容器１内に入れて捏ね具１６で捏ねる。
【００１６】
この場合の捏ね具としては、本考案者の創作による意匠文献１の食品攪拌具を用いるとよく、これにより該攪拌具の表面にも前述ダブルエンボス加工が施されていることから餅の粘着もなく効率よく捏ねることができる。
【特許文献１】意匠登録第１２１４３３５号公報（第１図）
【００１７】
このようにして捏ねるに際し、容器１の内面にはダブルエンボス加工が施されていることから前記餅との接触部は極めて小さい面積で保持されているため仮に餅がその粘りによって容器内面２に付着したとしても容易に剥離できるのでそのまま繰り返し捏ね続けることができる。
【００１８】
そして、この捏ね操作によって前記加熱し柔らかくなった餅Ａはさらに柔らかさと粘り気を増し、つき餅と同様の粘りのある柔らかい状態に再現できその後５〜６時間位はその柔らかさを持続できる。この理由は、一端固形化した餅は加熱するとその表面の水分が蒸発して放熱するため直ぐに硬くなるが、これを捏ねて攪拌することにより水分の蒸発を抑制し餅の内部まで満遍なくその水分を加温状態で閉じ込めることから長時間その柔らかさを保持し続けるものと考えられる。
【００１９】
そして、程よく捏ね上げた後はそのまま食するか、又は別途用意した具材（すりごま、あん、芋などの根菜類、果物類、枝豆等）を混ぜて捏ねるか、或いはそのまま取り出して別途用意した容器に盛り付け後前記具材を載せる等の方法で各種餅菓子作りとしても活用できる。さらに、上記捏ね作業の途中で容器１に餅を入れたまま電子レンジで若干の加温を施すとさらに作業も容易となる。また、本考案は単に餅に限らず団子その他の餅類全般に適用できることは言うまでもない。
【００２０】
なお、容器１の形状や架台７の形状は上記実施例で図示したものに限らず略方形や楕円形など目的・用途に応じて本考案の要旨の範囲において各種の変形態様が可能であることは言うまでもない。
【図面の簡単な説明】
【００２１】
【図１】本考案餅つきボールの組み立て状態の斜視図である。
【図２】本考案餅つきボールの縦断面図である。
【図３】容器１内面のダブルエンボスの拡大図である。
【図４】餅つき状態を示す説明図である。
【符号の説明】
【００２２】
１  容器
２  内面
３  凹凸部
５  上縁
６  鍔部
７  架台
９  着座部
【図１】
0003146267.tif 000003
【図２】
0003146267.tif 000004
【図３】
0003146267.tif 000005
【図４】
0003146267.tif 000006